(57)【要約】      （修正有）【課題】制御盤が昇降路側吊手よりも下方に配置されている場合であっても、制御ケーブルの懸架作業に要する時間と労力とを大幅に軽減させることができるエレベータの制御ケーブル吊手装置を得る。【解決手段】エレベータのかご２と制御盤６との間に接続される制御ケーブル７を昇降路１内で吊り下げ保持するエレベータの制御ケーブル吊手装置であって、昇降路１内の固定体に設けられ、制御ケーブル７の中間部を固定して、制御ケーブル７を昇降路１内で吊り下げ保持する保持手段と、保持手段の上方に設けられ、保持手段の上方で下方に折り返された制御ケーブル７間に配置されるとともに、制御ケーブル７の架設時に、制御ケーブル７の制御盤６に接続される端部側の下方への移動を案内するガイド手段とを備える。【選択図】図１
2008230788.tif 000002
【特許請求の範囲】
【請求項１】
エレベータのかごと制御盤との間に接続される制御ケーブルを昇降路内で吊り下げ保持するエレベータの制御ケーブル吊手装置であって、
前記昇降路内の固定体に設けられ、前記制御ケーブルの中間部を固定して、前記制御ケーブルを前記昇降路内で吊り下げ保持する保持手段と、
前記保持手段の上方に設けられ、前記保持手段の上方で下方に折り返された前記制御ケーブル間に配置されるとともに、前記制御ケーブルの架設時に、前記制御ケーブルの前記制御盤に接続される端部側の下方への移動を案内するガイド手段と、
を備えたことを特徴とするエレベータの制御ケーブル吊手装置。
【請求項２】
保持手段及びガイド手段の何れか一方に設けられ、前記保持手段の上方で下方に折り返された制御ケーブルの制御盤側を固定する固定手段と、
を備えたことを特徴とする請求項１に記載のエレベータの制御ケーブル吊手装置。
【請求項３】
ガイド手段は、制御ケーブルよりも幅が広く、下方に開口するコ字状の板状部材からなることを特徴とする請求項１又は請求項２に記載のエレベータの制御ケーブル吊手装置。
【請求項４】
ガイド手段は、制御ケーブルよりも幅が広く、上方に向かって凸状の曲面を呈する棒状部材からなることを特徴とする請求項１又は請求項２に記載のエレベータの制御ケーブル吊手装置。
【請求項５】
ガイド手段は、
保持手段の上方で水平に設けられた軸と、
前記軸を中心に回転自在に設けられ、制御ケーブルよりも幅の広い回転体と、
を備えたことを特徴とする請求項１又は請求項２に記載のエレベータの制御ケーブル吊手装置。
【請求項６】
エレベータのかごと制御盤との間に接続される制御ケーブルを昇降路内で吊り下げ保持するエレベータの制御ケーブル吊手装置であって、
前記昇降路内の固定体に水平に設けられた軸と、
前記軸を中心に回転自在に設けられ、前記制御ケーブルよりも幅の広い回転体と、
前記回転体の下方に配置され、前記回転体に巻き付けられることによって下方に折り返された前記制御ケーブルを狭持して、前記制御ケーブルを固定する固定具と、
を備えたことを特徴とするエレベータの制御ケーブル吊手装置。
【発明の詳細な説明】
【技術分野】
【０００１】
この発明は、エレベータの制御ケーブルを昇降路内で吊り下げ保持する制御ケーブル吊手装置に関するものである。
【背景技術】
【０００２】
エレベータでは、かごに設けられた機器類を制御したり、かごの機器類から入力された各種信号に基づいてエレベータを動作させたりするため、制御盤とかごとの間に制御ケーブルが接続されている。この制御ケーブルは、かごに接続された一端部から昇降路の中間階付近に至る部分が昇降路内で固定されておらず、かごの昇降動作に追従することができるように構成されている。具体的には、上記制御ケーブルは、一端部がかご下部のかご側吊手を介してかご上制御装置に、中間部が昇降路内に設けられた昇降路側吊手に固定されることにより、かご側吊手から昇降路側吊手に至る部分が昇降路内でＵ字状に吊り下げられた状態で保持される。一方、制御ケーブルの他端部側は、昇降路側吊手から制御盤の設置場所まで配線され、制御盤に接続される。
【０００３】
また、エレベータの昇降路上方に機械室が設置されていない、いわゆる機械室レスエレベータ装置では、エレベータの制御盤や巻上機等、従来機械室に設置されていた機器類を昇降路内に配置する必要がある。したがって、制御盤が昇降路内に設置された機械室レスエレベータ装置では、制御ケーブルの他端部側は、昇降路側吊手から制御盤の設置場所まで昇降路内に配線されている。
【０００４】
図２１は従来の機械室レスエレベータ装置を示す側面図であり、機械室レスエレベータ装置における制御ケーブル架設後の状態を示したものである。図２１において、１はエレベータの昇降路、２はエレベータのかご、３はかご２の上部に設置されたかご上制御装置、４はかご２の下部に設けられたかご側吊手、３８は昇降路１内に設けられた昇降路側吊手、６は昇降路１内に設けられた制御盤、７はかご側吊手４と昇降路側吊手３８とを介してかご２及び制御盤６間に接続された制御ケーブルである。なお、上記制御盤６は、昇降路側吊手３８よりも下方に配置されている。
【０００５】
上記制御ケーブル７は、中間部が昇降路側吊手３８に固定されている。そして、昇降路側吊手３８よりも一端部側は、かご側吊手４まで昇降路１内でＵ字状に吊り下げられ、更に上方に配線されてかご上制御装置３に接続される。また、昇降路側吊手３８よりも他端部側は、昇降路側吊手３８の直ぐ上方で下方に向かってＵ字状に折り返され、制御盤６に接続されている。
【０００６】
次に、制御ケーブルを図２１の状態に架設する際の動作について説明する。なお、制御ケーブルは、その断面形状から丸形タイプと平形タイプが存在するが、近年では、懸垂特性が良く、かごの走行時に揺れが少ないとの理由から、平形タイプのものが一般的に使用されている。
【０００７】
架設前の制御ケーブルは、巻癖によって懸垂特性が損なわれることを防止するため、一般に、渦巻状に重ね巻きされた状態でエレベータの据付現場に納入される。なお、制御ケーブルの架設作業は、エレベータのかごやかごの昇降を案内するガイドレール等といった所定の機器類が昇降路内に組み込まれた後に行われる。そして、実際に制御ケーブルを架設する場合には、重ね巻きされた制御ケーブルを、ターンテーブル等を用いて巻きほぐしたり、比較的制御ケーブルが短い場合には作業者が制御ケーブルを抱きかかえた状態で巻きほぐしたりしながら、固定や接続等の作業が行われていた。
【０００８】
また、制御ケーブルの架設装置の従来技術として、重ね巻きされた制御ケーブルを昇降路内のかご床枠上に設置し、このかご床枠をエレベータ機械室内に設置された巻上機によって昇降させることにより、制御ケーブルを必要な長さだけ順次繰り出して、制御ケーブルの固定や接続等の作業を行うものが提案されている（例えば、特許文献１参照）。
【０００９】
また、制御ケーブルの架設時に使用されるターンテーブルの従来技術として、平形タイプの制御ケーブルをダンボール製のボビンに巻き付けた状態でダンボール製の薄い輸送箱に収納することにより、制御ケーブルの輸送や懸架作業を容易にしたものが提案されている（例えば、特許文献２参照）。
【００１０】
また、制御ケーブルの吊手装置の従来技術として、昇降路内で吊り下げられた制御ケーブル間距離を調節することができるように昇降路側吊手又は／及びかご側吊手を構成し、制御ケーブルの架設現場において、制御ケーブル間距離を所望の値に合わせることができるようにしたものが提案されている（例えば、特許文献３参照）。
【００１１】
【特許文献１】特開平５−２４６６５４号公報
【特許文献２】特開平８−３１９０７５号公報
【特許文献３】特開平４−１６４７７号公報
【発明の開示】
【発明が解決しようとする課題】
【００１２】
図２１に示す従来の機械室レスエレベータ装置では、制御ケーブルの架設時に制御ケーブルの巻きほぐしの作業を昇降路内に停止させたかご上で実施しなければならず、上記作業に多大な時間と労力とを要することとなっていた。特に、制御盤が昇降路側吊手よりも下方に配置されている場合には、制御ケーブルの他端部側を、昇降路側吊手の上方を通過させてから垂れ下げる必要があった。この作業は、昇降路側吊手から垂れ下げた制御ケーブルに捻り癖を生じさせないように細心の注意を払う必要があり、また、狭いかご上での作業が強いられるために、人力に頼るところが大きく、非常に力の要る作業となって、作業性を著しく低下させる要因となっていた。
【００１３】
なお、特許文献２記載のターンテーブル等を使用しても、制御盤が昇降路側吊手よりも下方に配置されている場合には、上記と同様の問題が生じてしまう。また、特許文献１及び３記載のものは、昇降路上方に機械室が設置されている場合のものであり、かかる開示内容から上記問題を解決することはできなかった。
【００１４】
この発明は、上述のような課題を解決するためになされたもので、その目的は、制御盤が昇降路側吊手よりも下方に配置されている場合であっても、制御ケーブルの懸架作業に要する時間と労力とを大幅に軽減させることができるエレベータの制御ケーブル吊手装置を提供することである。
【課題を解決するための手段】
【００１５】
この発明に係るエレベータの制御ケーブル吊手装置は、エレベータのかごと制御盤との間に接続される制御ケーブルを昇降路内で吊り下げ保持するエレベータの制御ケーブル吊手装置であって、昇降路内の固定体に設けられ、制御ケーブルの中間部を固定して、制御ケーブルを昇降路内で吊り下げ保持する保持手段と、保持手段の上方に設けられ、保持手段の上方で下方に折り返された制御ケーブル間に配置されるとともに、制御ケーブルの架設時に、制御ケーブルの制御盤に接続される端部側の下方への移動を案内するガイド手段と、を備えたものである。
【００１６】
また、この発明に係るエレベータの制御ケーブル吊手装置は、エレベータのかごと制御盤との間に接続される制御ケーブルを昇降路内で吊り下げ保持するエレベータの制御ケーブル吊手装置であって、昇降路内の固定体に水平に設けられた軸と、軸を中心に回転自在に設けられ、制御ケーブルよりも幅の広い回転体と、回転体の下方に配置され、回転体に巻き付けられることによって下方に折り返された制御ケーブルを狭持して、制御ケーブルを固定する固定具と、を備えたものである。
【発明の効果】
【００１７】
この発明によれば、制御盤が昇降路側吊手よりも下方に配置されている場合であっても、制御ケーブルの懸架作業に要する時間と労力とを大幅に軽減させることができる。
【発明を実施するための最良の形態】
【００１８】
この発明をより詳細に説明するため、添付の図面に従ってこれを説明する。なお、各図中、同一又は相当する部分には同一の符号を付しており、その重複説明は適宜に簡略化ないし省略する。
【００１９】
実施の形態１．
図１は制御ケーブル架設後の状態を示すエレベータ装置の側面図、図２は制御ケーブルの架設作業を説明するための図である。先ず、図１に基づいて、制御ケーブル架設後の状態について説明する。図１において、１はエレベータの昇降路、２は昇降路１内を昇降するかご、３はかご２の上部に設置され、かご２の各種機器類を制御するかご上制御装置、４はかご２の下部に設けられたかご側吊手、５は昇降路１内に設けられた昇降路側吊手、６は昇降路１内に設けられ、エレベータの全体制御を司る制御盤、７はかご側吊手４と昇降路側吊手５とを介してかご２及び制御盤６間に接続された制御ケーブルである。
【００２０】
ここで、上記昇降路側吊手５は、昇降路壁や昇降路梁、昇降路１内に立設されたガイドレール８（図１及び図２においては図示せず）等といった昇降路１内の固定体に設けられ、かご２の昇降範囲に合わせた所定の高さ（例えば、中間階付近）に配置される。また、上記制御盤６は、昇降路側吊手５よりも下方に配置され、例えば、昇降路１のピット底面から所定距離上方となる高さに配置される。即ち、図１は、制御盤６が昇降路側吊手５よりも下方に配置された機械室レスエレベータ装置の構成を示している。
【００２１】
上記制御ケーブル７は、中間部が昇降路側吊手５によって挟持された状態で固定されている。そして、制御ケーブル７の昇降路側吊手５よりも一端部側は、昇降路側吊手５から垂下され、昇降路１内でＵ字状に折り返された後、かご側吊手４に固定される。また、制御ケーブル７の一端部側は、かご側吊手４から更に上方に配線され、かご上制御装置３に接続される。一方、制御ケーブル７の昇降路側吊手５よりも他端部側は、昇降路側吊手５の直ぐ上方で下方に向かってＵ字状に折り返され、そのまま下方の制御盤６に接続される。
【００２２】
次に、図２に基づいて、制御ケーブル７の架設作業について説明する。
作業者は、制御ケーブル７の架設作業を開始するまでに、かご２やかご２等の昇降を案内するガイドレール８、かご２を懸架する主ロープ（図示せず）、かご２を昇降駆動するための巻上機（図示せず）、上記制御盤６等といった各種機器類を昇降路１内に据え付ける。
【００２３】
上記各種機器類の据え付けが完了した後、ターンテーブル等を利用して、渦巻状に重ね巻きされた制御ケーブル７をかご２上に設置する。次に、かご２を移動させ、制御ケーブル７の架設作業がし易いように、昇降路側吊手５の設置高さに合わせてかご２を停止させる。例えば、図２に示すように、重ね巻きされた制御ケーブル７が昇降路側吊手５よりも僅かに下方となるように、かご２を停止させる。
【００２４】
そして、作業員は、所定の高さに停止されたかご２上で、制御ケーブル７の架設作業を開始する。具体的には、重ね巻きされた制御ケーブル７の端部をターンテーブル等から繰り出し、昇降路側吊手５の上方を通過させてから、下方の制御盤６に向けて制御ケーブル７を垂れ下げる。ここで、上記制御ケーブル７を繰り出す作業は、昇降路側吊手５の上方を通過する制御ケーブル７を昇降路側吊手５のガイド手段によって案内させることにより、制御ケーブル７の捻り癖の発生を防止しながら実施する。なお、上記ガイド手段を備えた昇降路側吊手５の詳細については後述する。
【００２５】
そして、制御盤６に接続するために必要な長さの制御ケーブル７を昇降路側吊手５から垂下させた後、図２の点線で示すように、制御ケーブル７の昇降路側吊手５よりも手前（かご）側を弛緩させて、制御ケーブル７を昇降路側吊手５に固定する。また、制御ケーブル７の中間部を昇降路側吊手５によって固定した後、制御ケーブル７を繰り出しながらかご２を昇降路１のピット部付近まで下降させる。その後、作業者が昇降路１のピット部に降りて、制御ケーブル７の一端部をかご側吊手４を介してかご上制御装置３に、他端部を制御盤６にそれぞれ接続し、制御ケーブル７の懸架作業を完了させる。なお、図１は、制御ケーブル７の両端部の接続が完了した直後の状態を示している。
【００２６】
次に、上記昇降路側吊手５の詳細について説明する。
図３はこの発明の実施の形態１におけるエレベータの制御ケーブル吊手装置を示す正面図、図４はこの発明の実施の形態１におけるエレベータの制御ケーブル吊手装置を示す平面図、図５はこの発明の実施の形態１におけるエレベータの制御ケーブル吊手装置を示す側面図である。
【００２７】
図３乃至図５において、９は板状のケーブル取付腕、１０はケーブル取付腕９の一端部をガイドレール８の背面側に固定するためのレールクリップ、１１はレールクリップ１０をケーブル取付腕９の一端部に締結固定するボルトであり、上記昇降路側吊手５は、ケーブル取付腕９の他端部に設けられることにより、ケーブル取付腕９、レールクリップ１０、ボルト１１を介してガイドレール８に固定される。なお、上記昇降路側吊手５の設置高さは、ケーブル取付腕９の取付位置によって調節できる。また、上記ガイドレール８は、かご２或いは釣合い重り（図示せず）の何れを案内するものであっても構わない。
【００２８】
上記昇降路側吊手５には、保持手段とガイド手段とが備えられている。上記保持手段は、昇降路１内の固定体に設けられ、制御ケーブル７の中間部を固定して、制御ケーブル７を昇降路１内で吊り下げ保持する機能を有する。また、上記ガイド手段は、上記保持手段の上方に設けられ、制御ケーブル７の架設時に、制御ケーブル７の制御盤６に接続される端部（実施の形態１においては制御ケーブル７の他端部）側を昇降路側吊手５の上方から昇降路側吊手５の下方に垂れ下げる際に、上記端部側の下方への移動を案内する機能を有する。なお、ガイド手段は、制御ケーブル７の架設後は、制御盤６に接続するため保持手段の上方で下方に折り返された制御ケーブル７間に配置される。
【００２９】
ここで、上記保持手段は、通信用の制御ケーブル７の一端部側を吊り下げた状態で保持する必要があるため、制御ケーブル７が滑り落ちることがなく、且つ、制御ケーブル７を損傷させることがない所定の構成を有する。このような機能を有するため、保持手段は、例えば、ボルト１２によってケーブル取付腕９の他端部に締結固定された取付板１３と、ボルト１４が取付板１３に締め付けられることにより、取付板１３との間に配置された制御ケーブル７を取付板１３側に押え付けるケーブル押え１５とから構成される。なお、取付板１３及びケーブル押え１５は、制御ケーブル７が滑り落ちることを防止するため、その中央部が凸状に折り曲げられている。また、ケーブル押え１５の四隅に形成されたツメ１５ａの高さによって、所望のケーブル押え代が得られるように構成されている。
【００３０】
一方、上記ガイド手段は、例えば、ボルト１６によって取付板１３の上端部に締結固定されたガイド板１７によって構成される。上記ガイド板１７は、制御ケーブル７よりも幅が広く、下方に開口するコ字状の板状部材からなる。また、コ字状に折り曲げられた角部は、所定の丸みがつくように形成されている。
【００３１】
そして、上記構成を有する昇降路側吊手５を使用して制御ケーブル７を架設する場合、渦巻状に重ね巻きされた制御ケーブル７の端部をかご２上でターンテーブル等から繰り出して制御盤６に向けて垂れ下げる際に、所定の高さに設置された昇降路側吊手５のガイド板１７の上面に制御ケーブル７を載せながら上記繰り出し作業を行う。また、制御盤６に接続するために必要な長さの制御ケーブル７をガイド板１７の上面から垂下させた後、ガイド板１７の上面に制御ケーブル７を載置させたまま、即ち、ガイド板１７に制御ケーブル７を支持させたまま、制御ケーブル７を保持手段によって狭持して制御ケーブル７の中間部を昇降路側吊手５に固定する。
【００３２】
上記構成のエレベータの制御ケーブル吊手装置を使用して、制御ケーブル７の架設作業を行うことにより、制御盤６が昇降路側吊手５よりも下方に配置されている場合であっても、その作業に要する時間と労力とを大幅に軽減させることができ、作業性の向上を図ることが可能となる。また、昇降路側吊手５のガイド手段として、コ字状を呈する板状部材を使用することにより、上記機能を有する制御ケーブル吊手装置を簡単な構成で実現することが可能となる。
【００３３】
実施の形態２．
図６はこの発明の実施の形態２におけるエレベータの制御ケーブル吊手装置を示す正面図、図７はこの発明の実施の形態２におけるエレベータの制御ケーブル吊手装置を示す平面図、図８はこの発明の実施の形態２におけるエレベータの制御ケーブル吊手装置を示す側面図である。
【００３４】
図６乃至図８において、昇降路側吊手５のガイド手段は、保持手段の上方で水平に設けられた円柱状のガイド棒１８と、ガイド棒１８をケーブル取付腕１９に固定するための取付ナット２０とから構成される。なお、上記ガイド棒１８は円柱状に限られるものではなく、制御ケーブル７の架設時に制御ケーブル７の他端部側の下方への移動を案内するため、制御ケーブル７の幅よりも長く、上方に向かって凸状の曲面を呈する棒状部材であれば良い。また、ガイドレール８の背面側に固定されたケーブル取付腕１９は、ガイド手段を取り付けるための所定の形状を呈し、例えば、平面視ハット状に曲成されている。その他の構成は、実施の形態１と同様である。
【００３５】
そして、上記構成を有する昇降路側吊手５を使用して制御ケーブル７を架設する場合には、渦巻状に重ね巻きされた制御ケーブル７の端部をかご２上でターンテーブル等から繰り出して制御盤６に向けて垂れ下げる際に、制御ケーブル７をガイド棒１８に載せながら上記繰り出し作業を行う。また、制御盤６に接続するために必要な長さの制御ケーブル７をガイド棒１８から垂下させた後、ガイド棒１８に制御ケーブル７を載せたまま、即ち、ガイド棒１８に制御ケーブル７を支持させたまま、制御ケーブル７を保持手段によって狭持して制御ケーブル７の中間部を昇降路側吊手５に固定する。
【００３６】
この発明の実施の形態２によれば、上方に向かって凸状の曲面を呈するガイド棒１８によって制御ケーブル７の移動を案内するため、制御ケーブル７の架設時に制御ケーブル７を損傷させる恐れも無く、実施の形態１と同様の効果を奏することが可能となる。
【００３７】
実施の形態３．
図９はこの発明の実施の形態３におけるエレベータの制御ケーブル吊手装置を示す正面図、図１０はこの発明の実施の形態３におけるエレベータの制御ケーブル吊手装置を示す平面図、図１１はこの発明の実施の形態３におけるエレベータの制御ケーブル吊手装置を示す側面図である。
【００３８】
図９乃至図１１において、昇降路側吊手５のガイド手段は、保持手段の上方で水平に設けられた軸２１と、軸２１をケーブル取付腕１９に固定するための取付ナット２２と、軸２１を中心に回転自在に設けられた、制御ケーブル７よりも幅の広いカラー２３（回転体）と、軸２１のカラー２３両側に設けられた止め輪２４とから構成される。なお、図９乃至図１１においては、カラー２３の中空部内を軸２１が通過するように構成して、カラー２３が大きく偏心しながら軸２１を中心として回転する場合について図示されているが、カラー２３の回転時にその偏心量が小さくなるように構成しても当然構わない。その他の構成は、実施の形態１と同様である。
【００３９】
そして、上記構成を有する昇降路側吊手５を使用して制御ケーブル７を架設する場合には、渦巻状に重ね巻きされた制御ケーブル７の端部をかご２上でターンテーブル等から繰り出して制御盤６に向けて垂れ下げる際に、制御ケーブル７をカラー２３に載せながら上記繰り出し作業を行う。また、制御盤６に接続するために必要な長さの制御ケーブル７をカラー２３から垂下させた後、カラー２３に制御ケーブル７を載せたまま、即ち、軸２１に制御ケーブル７を支持させたまま、制御ケーブル７を保持手段によって狭持して制御ケーブル７の中間部を昇降路側吊手５に固定する。
【００４０】
この発明の実施の形態３によれば、かご２上から制御ケーブル７を繰り出す際に、制御ケーブル７の移動に連動してカラー２３が回転するため、制御ケーブル７の架設時に制御ケーブル７の表面を損傷させる恐れも無く、上記繰り出し作業を容易に実施することが可能となる。その他は、実施の形態１と同様の効果を奏する。
【００４１】
実施の形態４．
図１２はこの発明の実施の形態４におけるエレベータの制御ケーブル吊手装置を示す正面図、図１３はこの発明の実施の形態４におけるエレベータの制御ケーブル吊手装置を示す平面図、図１４はこの発明の実施の形態４におけるエレベータの制御ケーブル吊手装置を示す側面図である。
【００４２】
図１２乃至図１４において、昇降路側吊手５には、上記保持手段、ガイド手段に加え、保持手段又はガイド手段に設けられた固定手段が備えられている。この固定手段は、保持手段の上方で下方に折り返された制御ケーブル７の制御盤６側（他端部側）を固定する機能を有している。上記固定手段は、例えば、ガイド板１７の一側面にボルト２５によって締結固定されたケーブルクリップ２６からなり、制御ケーブル７の中間部を保持手段によって固定した後、ボルト２５を締め付けることによって制御ケーブル７の所定位置をケーブルクリップ２６によって固定する。
【００４３】
この発明の実施の形態４によれば、制御ケーブル７が図１４に示す制御ケーブル７ａのようにかご２側に倒れることを防止でき、制御ケーブル７が昇降路１内の昇降体と干渉することを確実に防止できるようになる。また、制御ケーブル７を整然と配置することも可能となる。その他は、実施の形態１と同様の構成及び効果を有する。
【００４４】
実施の形態５．
図１５はこの発明の実施の形態５におけるエレベータの制御ケーブル吊手装置を示す正面図、図１６はこの発明の実施の形態５におけるエレベータの制御ケーブル吊手装置を示す平面図、図１７はこの発明の実施の形態５におけるエレベータの制御ケーブル吊手装置を示す側面図である。
【００４５】
図１５乃至図１７において、昇降路側吊手５の固定手段は、ボルト２７によって取付板１３の上端部に締結固定されたコ字状のブラケット２８と、ボルト２５によってブラケット２８の一側面に締結固定されたケーブルクリップ２６とから構成される。即ち、固定手段が保持手段に固定された場合を示したものである。上記構成によっても実施の形態４と同様の効果を奏することが可能である。なお、その他の構成及び効果は、実施の形態３と同様である。
【００４６】
実施の形態６．
図１８はこの発明の実施の形態６におけるエレベータの制御ケーブル吊手装置を示す正面図、図１９はこの発明の実施の形態６におけるエレベータの制御ケーブル吊手装置を示す平面図、図２０はこの発明の実施の形態６におけるエレベータの制御ケーブル吊手装置を示す側面図である。
【００４７】
図１８乃至図２０において、昇降路側吊手５は、ケーブル取付腕２９に水平に設けられた軸３０と、軸３０をケーブル取付腕２９に固定するための取付ナット３１と、軸３０を中心に回転自在に設けられた、制御ケーブル７よりも幅の広いローラ３２（回転体）と、ローラ３２の両側に設けられたフランジ３３と、ローラ３２の下方に配置され、ローラ３２に巻き付けられることによって下方に折り返された制御ケーブル７を狭持して、制御ケーブル７を固定する固定具３４とから構成される。
【００４８】
なお、図１８乃至図２０に示す昇降路側吊手５では、保持手段は、上記軸３０、取付ナット３１、ローラ３２、固定具３４から、ガイド手段は、軸３０、取付ナット３１、ローラ３２、フランジ３３からなる。上記ローラ３２は、その半径が、制御ケーブル７の自然な曲げに対応した所定の大きさとなるように形成されており、制御ケーブル７への負荷が軽減されている。また、上記固定具３４は、例えば、制御ケーブル７を両側から挟み込むケーブルクリップ３５及び３６と、このケーブルクリップ３５及び３６を連結する連結ボルト３７とから構成される。その他の構成は、実施の形態１と同様である。
【００４９】
そして、上記構成を有する昇降路側吊手５を使用して制御ケーブル７を架設する場合、渦巻状に重ね巻きされた制御ケーブル７の端部をかご２上でターンテーブル等から繰り出して制御盤６に向けて垂れ下げる際に、制御ケーブル７をローラ３２に載せながら上記繰り出し作業を行う。また、制御盤６に接続するために必要な長さの制御ケーブル７をローラ３２から垂下させた後、ローラ３２に制御ケーブル７を載せたまま、即ち、軸３０に制御ケーブル７を支持させたまま、制御ケーブル７を固定手段３４によって狭持して制御ケーブル７の中間部を昇降路側吊手５に固定する。
【００５０】
この発明の実施の形態６によれば、１種類の固定具３４によって下方に折り返された双方の制御ケーブル７を固定することができ、昇降路側吊手５の構成を簡素化することができる。また、かご２上から制御ケーブル７を繰り出す際に、制御ケーブル７の移動に連動してローラ３２が回転するため、制御ケーブル７の架設時に制御ケーブル７の表面を損傷させる恐れもなく、また、上記繰り出し作業を容易に実施することも可能となる。その他は、実施の形態１と同様の構成を有する。
【図面の簡単な説明】
【００５１】
【図１】制御ケーブル架設後の状態を示すエレベータ装置の側面図である。
【図２】制御ケーブルの架設作業を説明するための図である。
【図３】この発明の実施の形態１におけるエレベータの制御ケーブル吊手装置を示す正面図である。
【図４】この発明の実施の形態１におけるエレベータの制御ケーブル吊手装置を示す平面図である。
【図５】この発明の実施の形態１におけるエレベータの制御ケーブル吊手装置を示す側面図である。
【図６】この発明の実施の形態２におけるエレベータの制御ケーブル吊手装置を示す正面図である。
【図７】この発明の実施の形態２におけるエレベータの制御ケーブル吊手装置を示す平面図である。
【図８】この発明の実施の形態２におけるエレベータの制御ケーブル吊手装置を示す側面図である。
【図９】この発明の実施の形態３におけるエレベータの制御ケーブル吊手装置を示す正面図である。
【図１０】この発明の実施の形態３におけるエレベータの制御ケーブル吊手装置を示す平面図である。
【図１１】この発明の実施の形態３におけるエレベータの制御ケーブル吊手装置を示す側面図である。
【図１２】この発明の実施の形態４におけるエレベータの制御ケーブル吊手装置を示す正面図である。
【図１３】この発明の実施の形態４におけるエレベータの制御ケーブル吊手装置を示す平面図である。
【図１４】この発明の実施の形態４におけるエレベータの制御ケーブル吊手装置を示す側面図である。
【図１５】この発明の実施の形態５におけるエレベータの制御ケーブル吊手装置を示す正面図である。
【図１６】この発明の実施の形態５におけるエレベータの制御ケーブル吊手装置を示す平面図である。
【図１７】この発明の実施の形態５におけるエレベータの制御ケーブル吊手装置を示す側面図である。
【図１８】この発明の実施の形態６におけるエレベータの制御ケーブル吊手装置を示す正面図である。
【図１９】この発明の実施の形態６におけるエレベータの制御ケーブル吊手装置を示す平面図である。
【図２０】この発明の実施の形態６におけるエレベータの制御ケーブル吊手装置を示す側面図である。
【図２１】従来の機械室レスエレベータ装置を示す側面図である。
【符号の説明】
【００５２】
１  昇降路
２  かご
３  かご上制御装置
４  かご側吊手
５、３８  昇降路側吊手
６  制御盤
７、７ａ  制御ケーブル
８  ガイドレール
９、１９、２９  ケーブル取付腕
１０  レールクリップ
１１、１２、１４、１６、２５、２７  ボルト
１３  取付板
１５  ケーブル押え
１５ａ  ツメ
１７  ガイド板
１８  ガイド棒
２０、２２、３１  取付ナット
２１、３０  軸
２３  カラー
２４  止め輪
２６、３５、３６  ケーブルクリップ
２８  ブラケット
３２  ローラ
３３  フランジ
３４  固定具
３７  連結ボルト
【図１】
2008230788.tif 000003
【図２】
2008230788.tif 000004
【図３】
2008230788.tif 000005
【図４】
2008230788.tif 000006
【図５】
2008230788.tif 000007
【図６】
2008230788.tif 000008
【図７】
2008230788.tif 000009
【図８】
2008230788.tif 000010
【図９】
2008230788.tif 000011
【図１０】
2008230788.tif 000012
【図１１】
2008230788.tif 000013
【図１２】
2008230788.tif 000014
【図１３】
2008230788.tif 000015
【図１４】
2008230788.tif 000016
【図１５】
2008230788.tif 000017
【図１６】
2008230788.tif 000018
【図１７】
2008230788.tif 000019
【図１８】
2008230788.tif 000020
【図１９】
2008230788.tif 000021
【図２０】
2008230788.tif 000022
【図２１】
2008230788.tif 000023